【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
データ変換のためのコンピュータにより実施される方法であって、
計算装置において複数のデータ要素を含むデータを取得することと、
前記複数のデータ要素間の関係性を特定するように前記データを分析することと、
前記複数のデータ要素の少なくとも１つを含む出力を生成するように使用可能な複数のワールドを特定することであって、前記複数のワールドのそれぞれは前記関係性に少なくとも部分的に基づき前記複数のデータ要素に付与する可視化モデルを規定する、特定することと、
前記データに対して決定された形状用の前記複数のワールドのそれぞれの妥当性の決定に少なくとも部分的に基づき前記複数のワールドの格付けをすることと、
前記データに少なくとも部分的に基づき前記複数のワールドからワールドを選択することと、
前記データを選択された前記ワールドに付与するためのルールを取得することと、
前記出力を生成するように前記データに前記ルールを付与することと、
を含む、方法。
【請求項２】
前記出力を前記計算装置に関連づけられた表示装置に示すことと、
前記計算装置のユーザからフィードバックを取得することと、
少なくとも部分的に前記フィードバックに基づき前記ワールドが変化するかどういか決定することと、
前記ワールドが変更されると決定されることに反応して、前記フィードバックにより新しいワールドを選択することと、をさらに含む、請求項１に記載の方法。
【請求項３】
前記出力に変化を導入するために前記複数のデータ要素に付与するための少なくとも１つの変化を決定することと、
前記変化および前記関係性に基づき前記可視化モデルを決定することと、
少なくとも部分的に前記可視化モデルおよび前記関係性に基づき前記ワールドを選択することと、をさらに含む、請求項１に記載の方法。
【請求項４】
前記複数のワールドを特定することは、前記データに対して決定された形状に少なくとも部分的に基づき前記データが適用可能なワールドを決定するように前記データを分析することを含む、請求項１に記載の方法。
【請求項５】
前記データに対して決定された前記形状は、一定量のテキスト、前記データ内の一定量の画像、または一定量の別のタイプのデータのうちの少なくとも１つを特定するデータを含む、請求項４に記載の方法。
【請求項６】
前記複数のワールドからワールドを選択することは、
前記格付けに少なくとも部分的に基づき前記ワールドを選択することと、
前記選択されたワールドを出力することと、を含む請求項４に記載の方法。
【請求項７】
前記ワールドを選択することは、最も高い前記格付けを有する前記ワールドを選択することを含む、請求項６に記載の方法。
【請求項８】
コンピュータ可読命令を記憶するコンピュータ記憶媒体であって、前記コンピュータ可読命令はコンピュータにより実行された場合に前記コンピュータに、
複数のデータ要素を含むデータを取得させることと、
前記複数のデータ要素間の関係性を特定するように前記データを分析させることと、
前記関係性に少なくとも部分的に基づき、前記複数のデータ要素の少なくとも１つを含む出力を生成するように使用可能な複数のワールドを特定させることであって、前記複数のワールドのそれぞれは前記複数のデータ要素に付与する可視化モデルを規定する、特定させることと、
前記データに対して決定された形状への前記ワールドの適用性の決定に少なくとも部分的に基づき、前記複数のワールドのそれぞれを格付けさせることと、
前記データおよび前記関係性に少なくとも部分的に基づき前記複数のワールドからワールドを選択させることと、
前記データを前記ワールドに付与するためのルールを取得させることと、
前記出力を生成するように前記データに前記ルールを付与させることと、をさせる、コンピュータ記憶媒体。
【請求項９】
前記コンピュータにより実行された場合に、前記データに対して決定された前記形状に少なくとも部分的に基づき、前記データが付与可能なワールドを決定するように前記データを分析することにより前記コンピュータに前記複数のワールドを特定させる、コンピュータ可読命令をさらに含む、請求項８に記載のコンピュータ記憶媒体。
【請求項１０】
前記データに対して決定された前記形状は、前記データ内の一定量のテキスト、前記データ内の一定量の画像、前記データに関連付けられた画像とテキストの比率、前記データに関連付けられた平均画像サイズ、または前記データ内のテキストブロックのサイズのうちの少なくとも１つを特定するデータを含む、請求項９に記載のコンピュータ記憶媒体。
【請求項１１】
前記データに対して決定された前記形状は、前記データ内の一定量の画像、前記データ内の画像のサイズ、前記データ内の画像の解像度、前記データ内の画像のアスペクト比、前記データ内のテキストブロックの長さ、前記データ内の関連するテキストブロックの数、または前記データ内のセクションの数量のうちの少なくとも１つをさらに含む、請求項９に記載のコンピュータ記憶媒体。
【請求項１２】
前記コンピュータにより実行された場合に前記コンピュータに、
前記格付けに少なくとも部分的に基づきワールドを決定させることと、
前記選択されたワールドを出力させることとにより、前記ワールドを選択させる、コンピュータ可読命令をさらに含む、請求項９に記載のコンピュータ記憶媒体。
【請求項１３】
前記コンピュータにより実行された場合に前記コンピュータに、
前記出力を表示させることと、
前記出力に関連するフィードバックを取得させることと、をさせるコンピュータ可読命令をさらに含む、請求項８に記載のコンピュータ記憶媒体。
【請求項１４】
前記コンピュータにより実行された場合に前記コンピュータに、
前記フィードバックに基づき前記ワールドが変更されるかどうか決定させることと、
前記ワールドが変更されると決定したことに応じて、前記データを付与する新しいワールドを決定させ、決定された前記新しいワールドを特定するデータを出力させることと、をさせるコンピュータ可読命令をさらに含む、請求項１３に記載のコンピュータ記憶媒体。
【請求項１５】
前記コンピュータにより実行された場合に前記コンピュータに、
前記複数のワールドの再格付けをさせることと、
前記複数のワールドの再格付けに少なくとも部分的に基づき、前記新しいワールドを選択させることとにより、
前記ワールドが変更されるかどうか決定させる、コンピュータ可読命令をさらに含む、請求項１４に記載のコンピュータ記憶媒体。
【請求項１６】
前記フィードバックは、
前記出力のアスペクトが好まれているという指示、
前記出力のアスペクトが好まれていないという指示、または
異なるワールドが望まれているという指示、の少なくとも１つを含む、請求項１３に記載のコンピュータ記憶媒体。
【請求項１７】
コンピュータ可読命令を記憶するコンピュータ記憶媒体であって、前記コンピュータ可読命令はコンピュータにより実行された場合に前記コンピュータに、
複数のデータ要素を含むデータを取得させることと、
前記複数のデータ要素間の関係性を特定するように前記データを分析させることと、
前記関係性に少なくとも部分的に基づき、前記複数のデータ要素の少なくとも１つを含む出力を生成するように使用可能な複数のワールドを特定させることであって、前記複数のワールドのそれぞれは前記複数のデータ要素に付与する可視化モデルを規定する、特定させることと、
前記データおよび前記関係性に対する前記ワールドの適用性の決定に少なくとも部分的に基づき、前記ワールドの格付けを決定するように前記複数のワールドのそれぞれを格付けさせることと、
前記ワールドの前記格付けに少なくとも部分的に基づき前記複数のワールドからワールドを選択させることと、
前記データを前記選択されたワールドに付与するためのルールを取得させることと、
前記出力を生成するように前記データに前記ルールを付与させることと、をさせる、コンピュータ記憶媒体。
【請求項１８】
前記コンピュータにより実行された場合に前記コンピュータに、
前記出力を表示させることと、
前記出力に関連するフィードバックを取得させることと、
前記フィードバックに基づき前記ワールドが変更されるかどうか決定させることと、
前記ワールドが変更されると決定したことに応じて、前記データを付与する新しいワールドを決定させ、決定された前記新しいワールドを特定するデータを出力させることと、をさせるコンピュータ可読命令をさらに含む、請求項１７に記載のコンピュータ記憶媒体。
【請求項１９】
前記コンピュータにより実行された場合に前記コンピュータに、
前記データが更新されたことを決定させることと、
前記更新されたデータを反映させるように前記出力を更新させることと、をさせるコンピュータ可読命令をさらに含む、請求項１７に記載のコンピュータ記憶媒体。
【請求項２０】
前記データまたは新しいデータに対する変更を検出することと、
前記データまたは前記新しいデータに対する前記変更に基づき前記複数のワールドを再格付けすることと、
前記データまたは新しいデータに対する前記変更に基づく前記複数のワールドの再格付けに基づき新しいワールドを選択することと、をさらに含む、請求項１に記載の方法。